(57)【要約】      （修正有）【課題】使用者の眼鏡を曇りにくくするとともに、使いやすく、フィット性にも優れたマスクを提供する。【解決手段】鼻２３の上部を押さえる第一クッション材１３と、口元を覆う第二クッション材１５と、カバーシート１７ｂと、塑性変形が可能なノーズピースを有する。第一クッション材１３は、中央部分に鼻の形状に沿った凹部を有し、その両側に頬の形状に沿った左右一対の凸部を有する緩やかな波型形状をしたものである。第二クッション材１５は、第一クッション材１３に比べて通気性が良好であり、マスクの内側の中央付近に固着され、略馬蹄形をし、使用者の鼻の直下近傍を頂部１５ａとし、下方が解放されているものである。カバーシート１７ｂは、マスクの外側に、倒コの字状に鉛直下方向を除く３方向が固定されたものである。【選択図】図４
0003204068.tif 000002
【実用新案登録請求の範囲】
【請求項１】
内側に鼻の上部を押さえる第一クッション材と、口元を覆う第二クッション材とを有するマスクであって、
前記第二クッション材は、
前記マスクの内側の中央付近に固着されており、略馬蹄形をし、使用者の鼻の直下近傍を頂部とし、下方が解放されているものである
ことを特徴とするマスク。
【請求項２】
内側に鼻の上部を押さえる第一クッション材と、口元を覆う第二クッション材と、外側にカバーシートとを有するマスクであって、
前記第二クッション材は、
前記マスクの内側の中央付近に固着されており、略馬蹄形をし、使用者の鼻の直下近傍を頂部とし、下方が解放されているものであり、
前記カバーシートは、
前記マスクの外側に、倒コの字状に鉛直下方向を除く３方向が固定されているものである
ことを特徴とするマスク。
【請求項３】
内側に鼻の上部を押さえる第一クッション材と、口元を覆う第二クッション材と、外側にカバーシートと、上端付近に塑性変形が可能なノーズピースとを有するマスクであって、
前記第二クッション材は、
前記マスクの内側の中央付近に固着されており、略馬蹄形をし、使用者の鼻の直下近傍を頂部とし、下方が解放されているものであり、
前記カバーシートは、
前記マスクの外側に、倒コの字状に鉛直下方向を除く３方向が固定されているものである
ことを特徴とするマスク。
【請求項４】
前記第一クッション材は、
中央部分に鼻の形状に沿った凹部を有し、その両側に頬の形状に沿った左右一対の凸部を有する緩やかな波型形状をしたものである
ことを特徴とする請求項１乃至請求項３のいずれか一項に記載のマスク。
【請求項５】
前記第二クッション材は、
前記第一クッション材に比べて通気性が良好なものである
ことを特徴とする請求項１乃至請求項３のいずれか一項に記載のマスク。
【考案の詳細な説明】
【技術分野】
【０００１】
本考案は、衛生用の目的で使用される鼻や口の部分を覆うためのマスクに関するものである。
【背景技術】
【０００２】
細菌やウイルスなどの感染を防止したり、杉花粉などによるアレルギーを防止したりするために、本体部分に不織布などの通気性が良好な素地を用いる衛生用のマスク（以下において、単にマスクと呼ぶ。）が一般的に使用されている。これらのマスクには、横方向に多数のプリーツ状の折り目を有する略長方形状をしたものや、略椀状をした立体形状のものなどの多品種が市販されている。
【０００３】
眼鏡をした人がこれらの市販されているマスクを用いると、特に冬場において呼気によって眼鏡が曇り、視界を悪化させるという問題点があった。そして、使用者は、眼鏡が曇るとその都度、曇り部分を拭き取る必要があるので不快感を感じるとともに煩わしいものであった。そこで、マスクが必要であるにも関わらす、その煩わしさからマスクを外してしまうような使用者も多々認められている。
【０００４】
眼鏡が曇る主な原因は、水分を多く含む暖かく湿った呼気が、鼻や頬とマスクとの隙間部分を上昇し、眼鏡部分で冷やされて水滴となって付着するためである。そこで、マスク上部の鼻や頬との隙間部分をできるだけ狭くするための検討がされている。
【０００５】
マスク内側（顔面側）の上端付近に、一般的にはノーズピース１１などと呼ばれている金属製や樹脂製であり、塑性変形が可能な細長い板状物を埋め込んだ発明が開示されている（特許文献１）。この種のマスク１の使用時には、この板状物を使用者の鼻や頬の形状に合わせて塑性変形させることによって、鼻と頬との窪みである隙間部分を狭くすることができる（図５（ａ））。
【０００６】
また、マスク内側の上端付近に、中央部分に凹部３７を有し、その両側に左右一対の凸部３９を有する発泡ウレタン製などのクッション材１２を固着する考案も開示されている（特許文献２）。凹部３７の部分に鼻を、左右一対の凸部３９の部分に両頬を当接することによって、鼻と頬の窪みである隙間部分を狭くすることができる（図５（ｂ））。
【０００７】
加えて、マスク内側の上端付近にクッション性を有する突出片を設けておき、眼鏡のパッドによってその突出片を頬の部分に押しつけることによって、鼻と頬との窪みである隙間部分を塞ぐ発明も開示されている（特許文献３）。
【先行技術文献】
【特許文献】
【０００８】
【特許文献１】特開２００６−３０５２７９号公報
【特許文献２】特開２００３−２３６０００号公報
【特許文献３】特開２００８−２７９１０１号公報
【考案の概要】
【考案が解決しようとする課題】
【０００９】
しかしながら、上述した特許文献１〜特許文献３に記載されているマスクを用いた場合でも、鼻や頬の窪みとマスクとの隙間部分を十分に埋めることはできないという問題点があった。また、マスクの本体部分である不織布を通過した呼気が、そのままマスクの外側を上昇し、眼鏡に到達するような場合についての対応ができていないという問題点もあった。その結果、水分を多く含む呼気が眼鏡部分で冷やされ、水滴となって、そのまま付着するという現象を十分には除去できないという問題点があった。
【００１０】
本考案は、上述した問題点を解決するものであり、使用者の眼鏡を曇りにくくするとともに、使いやすく、顔面へのフィット性にも優れたマスクを提供するものである。
【課題を解決するための手段】
【００１１】
本考案は、上述したような従来からの問題点を解決するものである。
【００１２】
請求項１に記載された考案は、
内側に鼻の上部を押さえる第一クッション材と、口元を覆う第二クッション材とを有するマスクであって、
前記第二クッション材は、
前記マスクの内側の中央付近に固着されており、略馬蹄形をし、使用者の鼻の直下近傍を頂部とし、下方が解放されているものである
ことを特徴としている。
【００１３】
請求項１に記載の考案によると、従来のマスクに比べて眼鏡を曇りにくくすることができる。
【００１４】
請求項２に記載した考案は、
内側に鼻の上部を押さえる第一クッション材と、口元を覆う第二クッション材と、外側にカバーシートとを有するマスクであって、
前記第二クッション材は、
前記マスクの内側の中央付近に固着されており、略馬蹄形をし、使用者の鼻の直下近傍を頂部とし、下方が解放されているものであり、
前記カバーシートは、
前記マスクの外側に、倒コの字状に鉛直下方向を除く３方向が固定されているものである
ことを特徴としている。
【００１５】
請求項２に記載の考案によるマスクを用いると、口の下方部分から呼気が排出されるので眼鏡の曇りをほぼ完全に防止することができる。
【００１６】
請求項３に記載した考案は、
内側に鼻の上部を押さえる第一クッション材と、口元を覆う第二クッション材と、外側にカバーシートと、上端付近に塑性変形が可能なノーズピースとを有するマスクであって、
前記第二クッション材は、
前記マスクの内側の中央付近に固着されており、略馬蹄形をし、使用者の鼻の直下近傍を頂部とし、下方が解放されているものであり、
前記カバーシートは、
前記マスクの外側に、倒コの字状に鉛直下方向を除く３方向が固定されているものである
ことを特徴としている。
【００１７】
請求項３に記載の考案によるマスクを用いると、使いやすく、使用者の顔面へのフィット性を向上させることができる。
【００１８】
請求項４に記載の考案は、請求項１乃至請求項３のいずれか一項に記載のマスクであって、
前記第一クッション材は、
中央部分に鼻の形状に沿った凹部を有し、その両側に頬の形状に沿った左右一対の凸部を有する緩やかな波型形状をしたものである
ことを特徴としている。
【００１９】
請求項４に記載の考案によると、使用者の顔面とマスクとのフィット性をさらに向上させることができる。
【００２０】
請求項５に記載の考案は、請求項１乃至請求項３のいずれか一項に記載のマスクであって、
前記第二クッション材は、
前記第一クッション材に比べて通気性が良好なものである
ことを特徴としている。
【００２１】
請求項５に記載の考案によると、息苦しくならず、鼻からの呼吸を容易にすることができる。
【考案の効果】
【００２２】
本考案を用いることによって、使用者の眼鏡を曇りにくくできるとともに、使いやすく、顔面へのフィット性にも優れたマスクを提供することができる。
【図面の簡単な説明】
【００２３】
【図１】マスク２０の内側斜視図である。
【００２４】
（ａ）第二クッション材１５を固着する前の斜視図である。
【００２５】
（ｂ）第二クッション材１５を固着した後の斜視図である。
【図２】マスク２０の使用状態図である。
【００２６】
（ａ）使用時の外観図である。
【００２７】
（ｂ）Ａ−Ａ矢視端面図である。
【図３】マスク３０の外側斜視図である。
【００２８】
（ａ）カバーシート１７ａ，ｂを固定する前の斜視図である。
【００２９】
（ｂ）カバーシート１７ａ，ｂを固定した後の斜視図である。
【図４】マスク３０の使用時の端面図である。
【図５】従来のマスク１の概略図である。
【００３０】
（ａ）外側斜視図である。
【００３１】
（ｂ）内側斜視図である。
【考案を実施するための形態】
【００３２】
以下において、本考案に係わるマスクの実施の形態について図１〜図５を用いて詳細に説明する。
＜実施例１＞
本考案に係わるマスク２０の一実施例として、市販されている略椀状の立体形状をしたもので説明をするが、横方向にプリーツ状の折り目を多数有する略長方形状をしたマスクなどについても同様に適用することができる。
【００３３】
このマスク２０は、合成繊維製の不織布に樹脂を含侵した通気性を有する左右対称の左側素地３と右側素地５とを中央の接合部７で接合、例えば熱溶着をした略椀状の立体形状をしたものである。そして、一対の左側素地３と右側素地５の両端部には伸縮自在の左右一対の耳掛け９ａ，ｂが固着、例えば、熱溶着されている（図１）。
【００３４】
マスク２０の内側（顔面側）の上端付近には、鼻の上部を押さえるための第一クッション材１３が接着などの手段によって固着されている（図１、図２（ｂ））。第一クッション材１３は、中央部分に鼻の形状に沿った凹部３７を有しており、その両側に頬の形状に沿った左右一対の凸部３９を有する緩やかな波型形状をしたものである。この第一クッション材１３は、伸縮性を有するフィット性に優れたクッション材、例えば、発泡ウレタンなどの発泡体によるものである。
【００３５】
マスク２０の内側の中央付近には、口元を覆う第二クッション材１５が接着などの手段によって固着されている。この第二クッション材１５は、略馬蹄形をしており、使用者の鼻２３の直下近傍を頂部１５ａとし、空間部３３と開口部３５とを有しており、下方が解放されているものである（図１）。第二クッション材１５の下方を解放することによって、使用者１００の呼気１７ａ〜ｄを眼鏡１９から離れる方向、すなわち自然に鉛直下方向に導くことができる。
【００３６】
この第二クッション材１５は、発泡ウレタン製などの伸縮性及び復元性を有するものであり、幅が１０ｍｍ程度、高さが１５ｍｍ程度、全長が１５０ｍｍ程度の打抜加工で形成したものである。第二クッション材１５は、息苦しくならず、鼻２３での呼吸を容易にするために、第一クッション材１３に比べて通気性の良いものが好ましい。第二クッション材１５としては、通気性の点や顔面へのフィット性の点から連通気泡体を有するスポンジ状のものがさらに好ましい。
【００３７】
なお、第二クッション材１５は、幅が１０ｍｍ程度、高さが１５ｍｍ程度、長さが１５０ｍｍ程度のものを折り曲げた状態で溶着や接着などの手段によって右側素地３及び左側素地５に跨がるように固着することもできる。
【００３８】
眼鏡１９を着用した使用者１００が、このマスク２０を使用中の状態を示す（図２）。図示されているように、第一クッション材１３及び第二クッション材１５とによって、ほとんどの呼気２７ｂ〜ｄは、眼鏡１９の曇りには影響しない鉛直下方向に排出される（図２（ｂ））。第二クッション材１５は、第一クッション材１３に比べて通気性が良く、馬蹄形をしたものなので、鼻２３からの大部分の呼気は、自然にそのまま鉛直下方向（口２５の方向）に誘導される。
【００３９】
したがって、マスク２０を用いることによって、従来品に比べて眼鏡１９を曇りにくくすることができる。すなわち、第一クッション材１３及び第二クッション材１５の協働によって、眼鏡１９の曇りをかなり低減できるとともに顔面へのフィット性を向上させることができる。なお、使用者の鼻２３や口２５からの呼気の一部は、右側素地３及び左側素地５を通過後、マスク２０の外側を沿うように上昇し、眼鏡１９に達する場合も認められた（２７ａ呼気）。
＜実施例２＞
本考案に係わるマスク２０にさらなる改良を加えたマスク３０について説明する（図３、図４）。なお、上述した実施例１のマスク２０と共通する部分は省略して説明する。
【００４０】
マスク３０は、その外側に一対のカバーシート１７ａ，ｂが固定、例えば粘着テープ、両面テープ又は接着剤などによって貼付けられているものである（図３（ａ）、（ｂ））。この一対のカバーシート１７ａ，ｂは、倒コの字状に鉛直下方向を除く３方向（鉛直上方向及び左右方向）が固定されている（図３（ｂ））。
【００４１】
カバーシート１７ａ，ｂの材質としては、左側素地３や右側素地５のような不織布に比べて通気性が良好ではないもの、例えば、紙製のシートや、ポリエチレンフィルムやポリプロピレンフィルムなどの樹脂製のシートが好ましい。
【００４２】
眼鏡１９を着用した使用者１００が、このマスク３０を使用中の状態を示す（図４）。図示されているように、使用者の鼻２３や口２５からの呼気２７ａ〜ｄは、カバーシート１７ｂによって鉛直下方向に誘導される。したがって、使用者の鼻２３や口２５からの呼気２７ａ〜ｄは、マスク２０の外側に沿った上昇が阻止されるので眼鏡１９に接近することはなく、その曇りをほぼ完全に防止することができる（図４）。すなわち、第一クッション材１３、第二クッション材１５及びカバーシート１７ａ，ｂの協働によって眼鏡１９の曇りをほぼ完全に防止することができる。
＜実施例３＞
本考案に係わるマスク２０、３０にさらなる改良を加えたマスク４０（図示せず。）について説明する。なお、上述した実施例１及び実施例２と共通する部分は省略して説明する。
【００４３】
実施例３では、上述したマスク２０、３０の上端付近に塑性変形が可能なノーズピース１１が存在するようにしたものである（例えば、図５（ａ））。このノーズピース１１は、マスク２０、３０の外側に接着などの手段で固着したり、左側素地３や右側素地５で包んだ状態で溶着したりするなどの手段でマスク４０の上端付近に存在させることができる。
【００４４】
鉄やアルミ合金などの薄板や、ポリエチレンなどの塑性変形が可能なプラスチック製薄板をノーズピース１１として用いることによって、マスク４０の上端付近を自由に変形できるので、使用者１００の顔面と、マスク２０，３０とのフィット性をさらに向上させることができる（図５（ａ））。
【００４５】
上述した各実施例では、略椀状の立体形状をしたマスクを使用した場合について説明をしているが、横方向に多数のプリーツ状の折り目を有する略長方形状をしたマスクを使用した場合についても同様に適用できる。
【産業上の利用可能性】
【００４６】
本考案に係わるマスクは、眼鏡をかけた使用者用のマスクとして好適に使用することができる。
【符号の説明】
【００４７】
１，２０，３０，４０  マスク
３  右側素地
５  左側素地
７  接合部
９ａ，ｂ  耳掛け
１１  ノーズピース
１２  クッション材
１３  第一クッション材
１５  第二クッション材
１５ａ  頂部
１７ａ，ｂ  カバーシート
１９  眼鏡
２１  目
２３  鼻
２５  口
２７ａ，ｂ，ｃ，ｄ  呼気
２９ａ，ｂ  固定部
３３  空間部
３５  開口部
３７  凹部
３９  凸部
１００  使用者
【図１】
0003204068.tif 000003
【図２】
0003204068.tif 000004
【図３】
0003204068.tif 000005
【図４】
0003204068.tif 000006
【図５】
0003204068.tif 000007